(57)【特許請求の範囲】
【請求項１】
同軸ケーブルと、該同軸ケーブルに添わされ、かつこの同軸ケーブルを支持する吊線と、前記同軸ケーブルの一部および前記吊線の一部が収納された分岐部とを有する吊線付き同軸ケーブルであって、
前記分岐部は、前記吊線付き同軸ケーブルに吊り下げられるものであり、
前記吊線は、前記分岐部内に未切断状態で貫通固定されていることを特徴とする吊線付き同軸ケーブル。
【発明の詳細な説明】
【０００１】
【発明の属する技術分野】
本発明は、例えば高層ビル内配線用等に利用されている吊線付き同軸ケーブルに関する。
【０００２】
【従来の技術】
従来の吊線付き同軸ケーブルの一例を図４から図６に示す。
図４に示すように、この吊線付き同軸ケーブル７は、内部導体１の外側に絶縁体２、外部導体３が形成された同軸ケーブル４と、この同軸ケーブル４に添わされている吊線５とがシース層６によって一括被覆されてなるものである。
【０００３】
そして同軸ケーブル４の分岐位置、中継位置等で必要に応じて、図５に示すように、この吊線付き同軸ケーブル７の同軸ケーブル４側と吊線５側とが、所定長、シース層６の部分で分離されている。
この部分の同軸ケーブル４には、分岐器８や増幅器１１（ここでは図示せず。図３参照）等が取り付けられていて、吊線５は分岐器８の上下でシース層６を剥いで所定長切断され、分岐器８の上側と下側に連結される。
【０００４】
そして分岐器８を保護するため、当該分岐器８と、同軸ケーブル４の一部、および吊線５の一部が、分岐部９内に収納される。
ただし符号４´は、シース層６´付きの他の同軸ケーブルである。
【０００５】
ここで分岐器８と吊線５とを連結するには、例えば図５に示すように、分岐器８の上下部分に、貫通穴付きの吊線掛け部１０、１０´が設けられていて、図６に詳細に示す通り、吊線５の端部がこの貫通穴に通され折り曲げられ、さらに吊線掛け部１０、１０´から外れないように吊線５の本線に巻付けられる。
【０００６】
さて、この吊線付き同軸ケーブル７をビル内に配線する際には、ビル内上階部で吊線５の上端をビル上階の所定箇所に設けられた吊線固定具に連結して、当該吊線付き同軸ケーブル７を吊り下げる。
ここで分岐部９全体は約１Ｋｇもの重量になる場合がある。そのため、吊線付き同軸ケーブル７全体の重量は、例えば１０階建て程度のビル内に配線する場合、ケーブルの太さ、長さ、分岐部９の数等にもよるが、約２０Ｋｇもの重量になることがある。
【０００７】
【発明が解決しようとする課題】
このような構造の吊線付き同軸ケーブル７では、各階の分岐器８下端側の吊線掛け部１０´と、そこに連結された吊線５にかかる重量は、この分岐部９より下側に位置するケーブル全体の重量となるため、当該吊線付き同軸ケーブル７を配線するビルの高さが高くなればなる程、上方の階において、分岐器８の吊線掛け部１０´にかかる荷重が大きくなっていた。
【０００８】
そのため、上方の階で、分岐器８の吊線掛け部１０´と吊線５との連結が外れて同軸ケーブル４に余分な荷重がかかってしまい、ケーブル寿命を縮めてしまうことがあった。
【０００９】
本発明は前記課題を解決するためになされたもので、その目的は、同軸ケーブルに余分な荷重がかからないようにした吊線付き同軸ケーブルを提供することにある。
【００１０】
【課題を解決するための手段】
本発明の吊線付き同軸ケーブルは、同軸ケーブルと、該同軸ケーブルに添わされ、かつこの同軸ケーブルを支持する吊線と、前記同軸ケーブルの一部および前記吊線の一部が収納された分岐部とを有する吊線付き同軸ケーブルであって、
前記分岐部は、前記吊線付き同軸ケーブルに吊り下げられるものであり、
前記吊線は、前記分岐部内に未切断状態で貫通固定されていることを特徴とする。
【００１１】
本発明の吊線付き同軸ケーブルでは、吊線は、従来のように各階で所定長切断され分岐器の上下部分に連結されているのではなく、分岐部内に未切断状態で貫通固定されている。
【００１２】
従ってこの吊線付き同軸ケーブルをビル内に配線した場合、当該吊線付き同軸ケーブル全体の荷重が、未切断状態の吊線全体にかかる。
そのため、従来のように分岐器と吊線との連結が外れて同軸ケーブルに余分な荷重がかかってしまいケーブル寿命を縮めてしまう、という問題が生じない。
【００１３】
【発明の実施の形態】
以下、本発明の実施の形態を図面に従って詳細に説明する。
図１〜図３に本発明の実施の形態の一例となる吊線付き同軸ケーブル７を示す。
図１に示すように、この吊線付き同軸ケーブル７は、内部導体１の外側に絶縁体２、外部導体３が形成された同軸ケーブル４と、この同軸ケーブル４に添わされている吊線５とがシース層６によって一括被覆されてなるものである。
この吊線付き同軸ケーブル７の各材質および外径寸法の一例を以下の表に示す。
【００１４】
【表１】
0003599464.tif 000002
【００１５】
そして同軸ケーブル４の分岐位置、中継位置等で必要に応じて、図２に示すように、この吊線付き同軸ケーブル７の同軸ケーブル４側と吊線５側とが、所定長、シース層６の部分で分離されている。
この部分の同軸ケーブル４には、分岐器８が取り付けられていて、吊線５は未切断状態のまま分岐器８の側部に添わされている。
そしてこの分岐器８全体、吊線５の一部、同軸ケーブル４、４´の一部が、分岐部９により保護されている。この分岐部９は、例えばモールドで樹脂が充填されてなるモールド部である。
【００１６】
また図３に示すように、吊線付き同軸ケーブル７の所定位置において、同軸ケーブル４の一部が分岐部９の側部（図３中、Ａの部分）から外に出た状態で固定され、この部分で同軸ケーブル４に増幅器１１が取り付けられている。
ただし、ここでも吊線５は未切断状態のまま分岐部９内に貫通固定されている。
【００１７】
本実施の形態の一例では、表１に示すオーダーの吊線付き同軸ケーブル７を使用した例を示したが、本発明に使用される吊線付き同軸ケーブル７はこれに限定されるものではなく、通常吊線５として使用されるものであれば、どのようなものであってもよく、例えばシース層６を有する同軸ケーブル４に吊線を縦添えし、両者を、ワイヤ等を横巻きして一体化したものでもよく、吊線５の本数は複数本であってもよい。
【００１８】
本実施の形態の一例では、図２、図３に示したように、同軸ケーブル４に分岐器８や増幅器１１を取り付けた例を示したが、本発明の吊線付き同軸ケーブル７はこれに限定されず、合波器等、他のモジュールを取り付けてなるものであってもよい。また必ずしも分岐部９はモールドで樹脂が充填されている必要はなく、箱型のものであってもよい。
【００１９】
また、本実施の形態の一例では、吊線５側のシース層６を剥がさないまま、吊線５を分岐部９内に収納した例を示したが、吊線５側のシース層６を剥いだ状態で、これを行ってもよいことは言うまでもない。
【００２０】
さらに本発明の吊線付き同軸ケーブル７では、最低１箇所の分岐部９内に、吊線５が未切断状態で貫通固定されていればよく、例えばビルの下の方の階に配線される部分等で分岐部９が従来のままの構造となっていてもよい。
【００２１】
【発明の効果】
本発明の吊線付き同軸ケーブルをビル内に配線した場合、当該吊線付き同軸ケーブルの荷重全体は、未切断状態の吊線全体にかかるので、従来のように分岐器と吊線との連結が外れて同軸ケーブルに余分な荷重がかかってしまいケーブル寿命を縮めてしまう、という問題が生じない。
【図面の簡単な説明】
【図１】本発明の実施の形態の一例となる吊線付き同軸ケーブルの横断面図。
【図２】本発明の実施の形態の一例となる吊線付き同軸ケーブルを一部断面状態で示す説明図。
【図３】本発明の実施の形態の一例となる吊線付き同軸ケーブルを一部断面状態で示す説明図。
【図４】従来の吊線付き同軸ケーブルの一例を示す横断面図。
【図５】従来の吊線付き同軸ケーブルを一部断面状態で示す説明図。
【図６】従来の吊線付き同軸ケーブルを一部断面状態で示す説明図。
【符号の説明】
１  内部導体
２  絶縁体
３  外部導体
４、４´  同軸ケーブル
５  吊線
６、６´  シース層
７  吊線付き同軸ケーブル
８  分岐器
９  分岐部
１０、１０´  吊線掛け部
１１  増幅器
【図１】
0003599464.tif 000003
【図２】
0003599464.tif 000004
【図３】
0003599464.tif 000005
【図４】
0003599464.tif 000006
【図５】
0003599464.tif 000007
【図６】
0003599464.tif 000008